(57)【要約】【課題】中継指示送信によりカラー画像データをファクシミリ送信する際に、配信先装置のカラー受信機能の有無に応じてカラー又はモノクロ画像データを中継通信装置に配信させることができる通信装置と、その中継通信装置を提供すること。【解決手段】配信命令及び配信先を指定して画像データをファクシミリ送信する中継指示送信機能を備えた通信装置１において、前記中継指示送信機能によりファクシミリ送信するカラー画像データの配信先にカラー受信機能を有しない装置が含まれているか否かを判断する判断手段と、該判断手段によりカラー受信機能を有しない装置の配信先が含まれていると判断したとき、当該配信先と対応づけた、カラー画像データをモノクロ画像データに変換して配信すべき旨の命令情報をファクシミリデータに含めて送信する送信手段と、を備える。【選択図】      図１
2004186928.tif 000002
【特許請求の範囲】
【請求項１】
配信命令及び配信先を指定して画像データをファクシミリ送信する中継指示送信機能を備えた通信装置において、前記中継指示送信機能によりファクシミリ送信するカラー画像データの配信先にカラー受信機能を有しない装置が含まれているか否かを判断する判断手段と、該判断手段によりカラー受信機能を有しない装置の配信先が含まれていると判断したとき、当該配信先と対応づけた、カラー画像データをモノクロ画像データに変換して配信すべき旨の命令情報をファクシミリデータに含めて送信する送信手段と、を備えることを特徴とする通信装置。
【請求項２】
前記判断手段がカラー受信機能を有しない装置が配信先に含まれていると判断したときに、その旨を報知する報知手段と、前記報知後ファクシミリ送信を実行するか否かの選択を受付ける選択受付手段とを更に備え、該選択受付手段によりファクシミリ送信を実行するとの選択がなされた場合にのみ、ファクシミリ送信を実行することを特徴とする請求項１記載の通信装置。
【請求項３】
受信したカラー画像データをモノクロ画像データに変換する画像変換手段と、画像データと共に受信するファクシミリデータにカラー画像データをモノクロ画像データに変換して配信すべき旨の命令情報が含まれているか否かを判断する判断手段と、該判断手段により前記命令情報が含まれると判断したとき、前記命令情報に対応づけられた配信先へは、受信したカラー画像データを前記画像変換手段によりモノクロ画像データに変換したものを配信する手段と、を備えることを特徴とする通信装置。
【発明の詳細な説明】
【０００１】
【発明の属する技術分野】
本発明は、通信装置に関し、詳しくは中継指示送信機能を備えた通信装置及び中継指示送信機能による配信命令に従って受信画像データを配信する通信装置に関するものである。
【０００２】
【従来の技術】
カラー画像データの受信機能を有しないモノクロ受信専用ファクシミリ装置に対し、カラー画像データをファクシミリ送信すると、相手は受信できず通信エラーが発生する。かかるエラーの発生を未然に防止するために、予め自装置のワンタッチダイヤルや短縮ダイヤルの情報レコードに相手のファクシミリ番号と対応づけてカラー受信機能の有無を登録しておき、相手先装置への画像データの送信開始がユーザによって指示された際に、その相手先装置がカラー受信機能を有するか否かを前記情報レコードに基づいて判断し、ＬＥＤの点灯によって判断結果をユーザに知らせるファクシミリ装置がある。
【０００３】
このファクシミリ装置によれば、ユーザは相手先のカラー受信機能の有無を原稿送信前に知ることができ、その結果に基づいてカラー又はモノクロの画像データを送信することができる。従って、モノクロ受信専用ファクシミリ装置に対してカラー画像データが送信されることによって起こる上記の通信エラーの発生を未然に防止することができる。また、前記したようなファクシミリ装置には、上記の機能に加えて、配信命令及び配信先を指定して画像データをファクシミリ送信する、いわゆる中継指示送信機能を備えるものがある（例えば、特許文献１参照）。
【０００４】
【特許文献１】
特開平８−１６７９５４号公報（第２−３頁）
【０００５】
【発明が解決しようとする課題】
しかしながら、前記したファクシミリ装置の中継指示送信によって、モノクロ受信専用ファクシミリ装置とカラー受信機能を備えたファクシミリ装置の双方を配信先として指定してカラー画像データを送信した場合、中継機として指定された中継通信装置は、双方にカラー画像データを配信しようとするため、カラー画像データを受信できないモノクロ受信専用ファクシミリ装置との間で通信エラーが発生する。つまり、中継通信装置は、モノクロ受信専用ファクシミリ装置にモノクロ画像データを、カラー受信ファクシミリ装置にカラー画像データを配信することができなかった。
【０００６】
本発明は、上記課題に鑑みてなされたものであって、中継指示送信によりカラー画像データをファクシミリ送信する際に、配信先装置のカラー受信機能の有無に応じてカラー又はモノクロ画像データを中継通信装置に配信させることができる通信装置と、その中継通信装置を提供することを目的とする。
【０００７】
【課題を解決するための手段】
上記目的を達成するために、請求項１記載の通信装置は、配信命令及び配信先を指定して画像データをファクシミリ送信する中継指示送信機能を備えた通信装置において、前記中継指示送信機能によりファクシミリ送信するカラー画像データの配信先にカラー受信機能を有しない装置が含まれているか否かを判断する判断手段と、該判断手段によりカラー受信機能を有しない装置の配信先が含まれていると判断したとき、当該配信先と対応づけた、カラー画像データをモノクロ画像データに変換して配信すべき旨の命令情報をファクシミリデータに含めて送信する送信手段と、を備えることを特徴としている。
【０００８】
請求項２記載の通信装置は、請求項１記載の通信装置において、前記判断手段がカラー受信機能を有しない装置が配信先に含まれていると判断したときに、その旨を報知する報知手段と、前記報知後ファクシミリ送信を実行するか否かの選択を受付ける選択受付手段とを更に備え、該選択受付手段によりファクシミリ送信を実行するとの選択がなされた場合にのみ、ファクシミリ送信を実行することを特徴としている。
【０００９】
請求項３記載の通信装置は、受信したカラー画像データをモノクロ画像データに変換する画像変換手段と、画像データと共に受信するファクシミリデータにカラー画像データをモノクロ画像データに変換して配信すべき旨の命令情報が含まれているか否かを判断する判断手段と、該判断手段により前記命令情報が含まれると判断したとき、前記命令情報に対応づけられた配信先へは、受信したカラー画像データを前記画像変換手段によりモノクロ画像データに変換したものを配信する手段と、を備えることを特徴としている。
【００１０】
【発明の実施の形態】
以下、本発明の実施の形態に係る通信装置について図面に基づいて説明する。
以下の説明では発信元となる通信装置を発信元の通信装置といい、中継機となる通信装置を中継通信装置という。
【００１１】
図１は、発信元の通信装置１及び中継通信装置２１による画像データの転送処理について、中継通信装置２１がカラー受信機能を有する１台の配信先装置４１ａと２台のモノクロ受信専用の配信先装置４１ｂ、４１ｃに画像データを配信する場合を示した図である。
【００１２】
発信元の通信装置１は、中継通信装置２１に対して配信命令、配信先ファクシミリ番号及び画像データをファクシミリ送信することによって、中継通信装置２１にその画像データを配信先装置４１へ配信させる中継指示送信機能を備えている。発信元の通信装置１は、中継指示送信機能によりファクシミリ送信するカラー画像データの配信先の中にカラー受信機能を有しない装置が含まれていると判断した場合には、配信命令、配信先ファクシミリ番号及び画像データの他に、カラー画像データをモノクロ画像データに変換して配信すべき旨の命令情報（以下「モノクロ変換中継指示」という。）をファクシミリデータ、例えば、ＣＣＩＴＴ勧告Ｔ．３０の伝送制御手順内で送出するデータ、に含めて送信する。
【００１３】
中継通信装置２１は、発信元の通信装置１から配信命令、配信先ファクシミリ番号及び画像データを含んだファクシミリデータを受信すると共に、受信した配信命令に基づいて配信先装置４１に対して受信した画像データを配信する処理を行う。また、中継通信装置２１は受信したカラー画像データをモノクロ画像データに変換する画像変換手段を備えており、受信したファクシミリデータに前記したモノクロ変換中継指示が含まれているときには、そのモノクロ変換中継指示に従って受信したカラー画像データをモノクロ画像データに変換し、カラー受信機能を有しない配信先装置４１ｂ、４１ｃに配信する。
【００１４】
以下、上記の通信機能を備える発信元の通信装置１及び中継通信装置２１の構成例を図２及び図４に基づいて説明する。図２は、発信元の通信装置１の構成例を示すブロック図である。
【００１５】
発信元の通信装置１は、制御部（ＭＰＵ：Ｍｉｃｒｏｐｒｏｃｅｓｓｉｎｇ  Ｕｎｉｔ）２、ＲＯＭ（Ｒｅａｄ  Ｏｎｌｙ  Ｍｅｍｏｒｙ）３、ＲＡＭ（Ｒａｎｄｏｍ  Ａｃｃｅｓｓ  Ｍｅｍｏｒｙ）４、原稿読取部５、操作部６、報知部７、コーデック１１、画像メモリ１２、記録部１３、モデム１４及びＮＣＵ（Ｎｅｔｗｏｒｋ  Ｃｏｎｔｒｏｌ  Ｕｎｉｔ）１５を備えたものであって、各部２乃至１５は、バス１６によって通信可能に接続されている。
【００１６】
制御部２は、所定のプログラムに従って、この発信元の通信装置１を構成する各部の動作を制御する。
【００１７】
ＲＯＭ３は、制御部２によりこの発信元の通信装置１の各部の動作が制御されるための各種プログラムを格納している。具体的には、配信先にカラー受信機能を有しない装置が含まれているか否かを判断し、カラー受信機能を有しないと判断した装置の配信先と前記したモノクロ変換中継指示とを対応づけてファクシミリ送信データに含める処理動作を行うためのプログラム等を格納している。
【００１８】
ＲＡＭ４は、読み出し及び書き込みが可能なメモリであり、制御部２の制御命令に従って配信先装置４１の中にカラー受信機能を有しない装置が含まれている旨を液晶表示装置８に表示させるための表示出力用データ、発信元の通信装置１の処理動作に用いる設定情報や動作情報等の各種データが格納されている。また、ＲＡＭ４には図３に示すように、配信先に関する情報を予め登録して格納しておくことができる配信先登録テーブル４ａが格納されている。
【００１９】
配信先登録テーブル４ａは、図示するように、「番号」フィールド、「配信先名称」フィールド、「配信先ファクシミリ番号」フィールド、「受信機能」フィールド、「グループ番号」フィールド、「備考」フィールドからなる。「番号」フィールドには、ワンタッチキー又は短縮キー及びテンキーによって指定される短縮番号に各々対応した番号が格納されており、操作部６のワンタッチキーの押下、或いは、短縮キー及びテンキーによる短縮番号の指定によって、指定された番号と同一レコードに格納された配信先に関する情報が読み出されるようになっている。「配信先名称」フィールドには、配信先の名称を示す配信先名称が格納されている。「配信先ファクシミリ番号」フィールドには、配信先のファクシミリ番号が格納されている。「受信機能」フィールドには、配信先のカラー受信機能の有無に関する情報が格納されている。「グループ番号」フィールドには、複数の配信先が対応づけられたグループ番号が格納されている。従って、操作部６からこのグループ番号によって配信先が指定されたときには、発信元の通信装置１は配信先ファクシミリ番号の代わりにこのグループ番号を含めたファクシミリデータを中継通信装置２１へファクシミリ送信する。「備考」フィールドには、配信先に関するその他の情報が格納されている。
【００２０】
原稿読取部５は、自動原稿給送部（ＡＤＦ：Ａｕｔｏｍａｔｉｃ  Ｄｏｃｕｍｅｎｔ  Ｆｅｅｄｅｒ）及びフラットベッド読取部（ＦＢＳ：Ｆｌａｔ  Ｂｅｄ  Ｓｃａｎｎｅｒ）を備えており、カラーＣＣＤ（Ｃｈａｒｇｅ  Ｃｏｕｐｌｅｄ  Ｄｅｖｉｃｅ）により原稿の画像の読み取りを行う。
【００２１】
操作部６は、ダイヤル番号を入力するためのテンキー、原稿読取部５による原稿の読み取り動作やファクシミリ送信を開始させるためのスタートキー、各種設定を行うためのカーソルキー、配信先を指定するためのワンタッチキー、短縮キー等から構成される操作キーを具備している。
【００２２】
報知部７は、この発信元の通信装置１の状態に関する情報、各種操作指示入力画面、設定状態、動作状態を表示する液晶表示装置８、ＬＥＤランプ９、及び所定の警告音を鳴動して各種警告を報知するスピーカ１０を具備している。ここで、液晶表示装置８は、制御部２が中継指示送信によりファクシミリ送信するカラー画像データの配信先にカラー受信機能を有しない装置が含まれていると判断した場合に、ＲＡＭ４に格納されている前記表示出力用データを出力表示することによってその旨を報知する報知手段として機能する。また、ＬＥＤランプ９も、点灯することで同旨を報知し、スピーカ１０も警告音を鳴動することで同旨を報知する報知手段として機能する。なお、報知手段は指定された配信先にカラー受信機能を有しない装置が含まれていることをオペレータに報知できるものであれば、上記以外のもので構成してもよい。
【００２３】
コーデック１１は、所定のプロトコルに対応して符号化（エンコード）・復号化（デコード）するものであり、原稿読取部５で読み取られた画像データを、送信のためにＭＨ（Ｍｏｄｉｆｉｅｄ  Ｈｕｆｆｍａｎ）、ＭＲ（Ｍｏｄｉｆｉｅｄ  Ｒｅａｄ）、ＭＭＲ（Ｍｏｄｉｆｉｅｄ  Ｍｏｄｉｆｉｅｄ  Ｒｅａｄ）方式等により符号化し、受信したファクシミリデータを復号化する。
【００２４】
画像メモリ１２は、原稿読取部５で読み取られた原稿の画像データ、ファクシミリ受信した画像データを一時的に格納する。
【００２５】
記録部１３は、電子写真方式、インクジェット記録方式、或いは感熱記録方式等の適当な方式のものからなり、原稿読取部５で読み取られた原稿の画像データやファクシミリ受信した画像データを記録紙に記録する。
【００２６】
モデム１４は、例えばＩＴＵ−Ｔ（国際電気通信連合電気通信標準化部門）の勧告Ｖ．３４規格又はこれと同様のものに従った送受信データの変調及び復調を行う。ＮＣＵ１５は、電話回線を制御して電話をかけたり、切ったりする回線網制御装置であり、ＰＳＴＮ（Ｐｕｂｌｉｃ  Ｓｗｉｔｃｈｅｄ  Ｔｅｌｅｐｈｏｎｅ  Ｎｅｔｗｏｒｋ）１７に接続されている。
【００２７】
次に、発信元の通信装置１から受信した画像データを配信先装置４１に配信する中継通信装置２１の構成例を図４に示す。中継通信装置２１は、制御部２２、ＲＯＭ２３、ＲＡＭ２４、画像変換部２５、操作部２６、表示部２７、原稿読取部２８、コーデック２９、画像メモリ３０、記録部３１、モデム３２及びＮＣＵ３３を備えたものであって、各部２２乃至３３は、バス３４によって通信可能に接続されている。
【００２８】
制御部２２は、所定のプログラムに従って、この中継通信装置２１を構成する各部の動作を制御する。
【００２９】
ＲＯＭ２３は、制御部２２によりこの中継通信装置２１の各部の動作が制御されるための各種プログラムを格納している。具体的には、発信元の通信装置１から受信したファクシミリデータにモノクロ変換中継指示が含まれているか否かを判断し、モノクロ変換中継指示が含まれていると判断したときには、そのモノクロ変換中継指示に従って受信したカラー画像データをモノクロ画像データに変換して配信する処理動作を行うためのプログラム等を格納している。
【００３０】
ＲＡＭ２４は、読み出し及び書き込みが可能なメモリであり、中継通信装置２１の処理動作に用いる設定情報や動作情報等の各種データが格納されている。具体的には、複数の配信先を１つのグループとして対応づけて登録したグループ番号を格納する配信先管理テーブル２４ａが格納されている。
【００３１】
画像変換部２５は、制御部２２の制御命令に従って発信元の通信装置１から受信したカラー画像データをモノクロ画像データに変換する画像変換手段として機能する。
【００３２】
操作部２６は、この中継通信装置２１に対する動作指示や設定等の入力を行うためのものであって、スタートキー、テンキー、ワンタッチキー等の各種操作キーを備えている。
【００３３】
表示部２７は、この中継通信装置２１の状態に関する情報、各種操作指示入力画面、設定状態、動作状態を表示する液晶表示装置、ＬＥＤランプ等を具備している。
【００３４】
コーデック２９は、所定のプロトコルに対応して符号化（エンコード）・復号化（デコード）するものである。すなわち、画像データを送信のためにＭＨ（Ｍｏｄｉｆｉｅｄ  Ｈｕｆｆｍａｎ）、ＭＲ（Ｍｏｄｉｆｉｅｄ  Ｒｅａｄ）、ＭＭＲ（Ｍｏｄｉｆｉｅｄ  Ｍｏｄｉｆｉｅｄ  Ｒｅａｄ）方式等により符号化し、受信した画像データを復号化する。
【００３５】
画像メモリ３０は、受信した画像データ、画像変換部２５でモノクロ変換された画像データ、原稿読取部２８で読み取られた原稿の画像データ等を一時的に格納する。
【００３６】
なお、原稿読取部２８、記録部３１、モデム３２及びＮＣＵ３３は、それぞれ図２に示した発信元の通信装置１の備える原稿読取部５、記録部１３、モデム１４、及びＮＣＵ１５と同様のものである。
【００３７】
以下、発信元の通信装置１が中継指示送信機能により中継通信装置２１に対し画像データをファクシミリ送信する際に、発信元の通信装置１及び中継通信装置２１において行われる処理動作について、図５乃至図８に示すフローチャートに基づいて説明する。なお、発信元の通信装置１における処理動作は、制御部２の制御命令に従って行われ、中継通信装置２１における処理動作は、制御部２２の制御命令に従って行われるものである。
【００３８】
オペレータによって操作部６から中継指示送信機能によりファクシミリ送信すべき所定操作がなされた場合（Ｓ１：ＹＥＳ）、発信元の通信装置１は原稿読取部５により原稿の画像データを読み取り（Ｓ２）、読み取った原稿の画像データがカラー画像データであるかモノクロ画像データであるかを読み取った色画素数等から判断する（Ｓ３）。発信元の通信装置１は、読み取った原稿の画像データがモノクロ画像データであると判断した場合（Ｓ３：モノクロ）、配信命令、配信先ファクシミリ番号及び画像データを含めたファクシミリデータ、つまりモノクロ変換中継指示を含まないファクシミリデータ、を中継通信装置２１にファクシミリ送信する（Ｓ４）。
【００３９】
発信元の通信装置１は、原稿読取部５によって読み取った原稿の画像データがカラー画像データであると判断した場合（Ｓ３：カラー）、配信先登録テーブル４ａを参照して、オペレータによる送信操作等において指定された配信先の装置４１の中にカラー受信機能を有しない装置が含まれているか否かを判断する（Ｓ５）。具体的には、配信先がワンタッチキー又は、短縮キー及びテンキーにより指定された場合は、指定された短縮番号等に対応する番号と同一レコードの「受信機能」フィールドに格納された受信機能情報に基づいて上記判断を行う。また、配信先がグループ番号により指定された場合は、指定されたグループ番号と同一レコードの「受信機能」フィールドに格納された受信機能情報に基づいて上記判断を行う。また、テンキーにより配信先ファクシミリ番号が直接入力された場合は、指定された配信先ファクシミリ番号が配信先登録テーブル４ａの「配信先ファクシミリ番号」フィールドに格納されているか否かを判断し、格納されている場合にその配信先ファクシミリ番号と対応づけられて同一レコードの「受信機能」フィールドに格納されている受信機能情報に基づいて上記判断を行い、「配信先ファクシミリ番号」フィールドに指定された配信先ファクシミリ番号が格納されていない場合は、配信先の装置４１の中にカラー受信機能を有しない装置は含まれないと判断する。
【００４０】
発信元の通信装置１は、配信先装置４１の中にカラー受信機能を有しない装置が含まれていないと判断した場合には（Ｓ５：ＮＯ）、前記Ｓ４の処理動作、つまりモノクロ変換中継指示を含まないファクシミリデータの中継通信装置２１へのファクシミリ送信を実行する。
【００４１】
一方、発信元の通信装置１は配信先装置４１の中にカラー受信機能を有しない装置が含まれていると判断した場合は（Ｓ５：ＹＥＳ）、配信先装置４１ａ乃至４１ｃの中にカラー受信機能を有しない装置が含まれている旨を報知部７に報知させる（Ｓ６）。具体的には、中継通信装置２１に対しカラー受信機能を有しない装置へカラー画像データをモノクロ画像データに変換して配信させるか否かの選択をオペレータに要求する情報として、液晶表示装置８に「指定された配信先には、カラー画像を受信できない装置が含まれています。モノクロ画像を配信させますか？」等のＲＡＭ４の所定領域に格納された表示出力用データを表示し、ＬＥＤランプ９を点灯させ、スピーカ１０に所定警告音を鳴動させて配信先にモノクロ受信専用機があることを報知する。
【００４２】
次いで、発信元の通信装置１は、オペレータによって選択受付手段である操作部６のスタートキーが再度押下されると、ファクシミリ送信を実行するとの選択がなされたと判断し、スタートキーが押下されなかった場合にはファクシミリ送信を実行するとの選択がなされなかったと判断する（Ｓ７）。ファクシミリ送信を実行するとの選択がなされなかった場合（Ｓ７：ＮＯ）、画像データをファクシミリ送信するための処理動作を中止し、読み取った原稿の画像データを消去して待機状態に戻る（Ｓ８）。一方、オペレータによって操作部６のスタートキーが再度押下されて、ファクシミリ送信を実行するとの選択がなされたと判断した場合には（Ｓ７：ＹＥＳ）、配信命令及び配信先ファクシミリ番号の情報を作成すると共に、カラー受信機能を有しない配信先装置４１ｂ及び４１ｃのファクシミリ番号と対応づけたモノクロ変換中継指示を作成する（Ｓ９）。そして、配信命令、配信先ファクシミリ番号及びＳ２で読み取った画像データと共に、Ｓ９で作成したモノクロ変換中継指示を含めたファクシミリデータを中継通信装置２１にファクシミリ送信する（Ｓ１０）。
【００４３】
一方、図６に示すように、中継通信装置２１は発信元の通信装置１から画像データと共に配信命令を含んだファクシミリデータを受信すると（Ｓ１５：ＹＥＳ）、受信した画像データがカラー画像データであるかモノクロ画像データであるかをデータフォーマットから判断する（Ｓ１６）。中継通信装置２１は、受信した画像データがモノクロ画像データであると判断した場合（Ｓ１６：モノクロ）、同じく受信した配信命令に従ってその画像データを配信先装置４１に配信する（Ｓ１７）。一方、受信した画像データがカラー画像データであると判断した場合（Ｓ１６：カラー）、受信したファクシミリデータにモノクロ変換中継指示が含まれているか否かを判断する（Ｓ１８）。モノクロ変換中継指示が含まれていないと判断した場合は（Ｓ１８：ＮＯ）、各配信先ごとに配信処理（以下「第２配信処理」という。）を実行する（Ｓ１９）。モノクロ変換中継指示が含まれていると判断した場合には（Ｓ１８：ＹＥＳ）、受信したカラー画像データをモノクロ画像データに変換した後（Ｓ２０）、各配信先ごとに配信処理（以下「第１配信処理」という。）を実行する（Ｓ２１）。
【００４４】
図７に示すように、Ｓ２１で各配信先に対して実行する第１配信処理では、中継通信装置２１は、各配信先ごとにモノクロ変換中継指示が対応づけられた配信先であるか否かを判断する（Ｓ２２）。モノクロ変換中継指示が対応づけられた配信先であると判断した場合は（Ｓ２２：ＹＥＳ）、その配信先装置４１ｂ及び４１ｃに対してＳ２０で変換したモノクロ画像データを配信する（Ｓ２３）。一方、モノクロ変換中継指示が対応づけられた配信先ではないと判断した場合（Ｓ２２：ＮＯ）、配信先装置４１に画像データをファクシミリ送信する際のファクシミリ伝送制御手順において配信先装置４１から取得する受信能力情報から配信先装置４１がカラー受信ファクシミリ装置であるか否かを判断する（Ｓ２４）。
そして、配信先装置４１がカラー受信ファクシミリ装置であると判断した場合は（Ｓ２４：ＹＥＳ）、受信したカラー画像データをその配信先装置４１ａに対して配信し（Ｓ２５）、カラー受信ファクシミリ装置ではないと判断した場合は（Ｓ２４：ＮＯ）、その配信先装置４１ｂ、４１ｃに対してＳ２０で変換したモノクロ画像データを配信する（Ｓ２３）。
【００４５】
図８に示すように、Ｓ１９で各配信先に対して実行する第２配信処理では、中継通信装置２１は、前記Ｓ２４と同様にして配信先装置４１がカラー受信ファクシミリ装置であるか否かを判断する（Ｓ２６）。中継通信装置２１は、配信先装置４１がカラー受信ファクシミリ装置であると判断した場合（Ｓ２６：ＹＥＳ）、配信命令に従って受信したカラー画像データを配信する（Ｓ２７）。また、配信先装置４１がカラー受信ファクシミリ装置ではないと判断した場合は（Ｓ２６：ＮＯ）、受信したカラー画像データをモノクロ画像データに変換し（Ｓ２８）、変換したモノクロ画像データを配信する（Ｓ２９）。
【００４６】
以上の説明から明らかなように、発信元の通信装置１によれば、配信先装置４１の中にモノクロ受信専用ファクシミリ装置とカラー受信機能を有するファクシミリ装置が混在していても、一回のカラー画像データの送信でモノクロ画像データ又はカラー画像データを中継通信装置２１に配信させることができる。また、中継通信装置２１によれば、各配信先に対してモノクロ変換中継指示の有無に従ってカラー画像データ又はモノクロ画像データを配信すると共に、万一モノクロ変換中継指示が対応づけられていない配信先がカラー画像データ受信機能を有しない装置であっても発信元の通信装置１から受信したカラー画像データをモノクロ画像データに変換して配信することができる。
【００４７】
【発明の効果】
請求項１記載の通信装置によれば、中継指示送信機能によりカラー画像データをファクシミリ送信する際に、配信先装置にモノクロ受信専用ファクシミリ装置が含まれていても、中継通信装置に対して配信先と対応づけた命令情報を含んだファクシミリデータを送信することにより、中継通信装置にそのカラー画像データをモノクロ画像データに変換させて配信させることができる。したがって、カラー受信ファクシミリ装置とモノクロ受信専用ファクシミリ装置の双方を配信先に指定する場合でも、中継通信装置に対しては、カラー画像データを１度だけ送信すればよく、配信先ごとに別個に送信する必要がない。
【００４８】
請求項２記載の通信装置によれば、中継指示送信機能によるカラー画像データのファクシミリ送信の実行命令があった際に、配信先にモノクロ受信専用ファクシミリ装置が含まれている場合にはその旨を報知するので、オペレータは原稿送信前に配信先のカラー受信機能の有無を知ることができる。また、報知後に、オペレータからのファクシミリ送信の実行命令がなかった場合には、ファクシミリ送信を行わないので、原稿がカラーで送らなければ意味のないものであるにも関わらずモノクロ画像が送信されるといった無駄なファクシミリ送信が行われることはない。
【００４９】
請求項３記載の通信装置は、発信元の通信装置から受信した配信命令及び配信先と対応づけられた命令情報に基づいて配信先装置にカラー画像データ或いはモノクロ画像データを配信する。したがって、カラー画像データ受信機能を有しない相手装置にカラー画像データを配信してエラーを発生させることや、その際の無駄な通信費の発生を防止することが可能となる。
【図面の簡単な説明】
【図１】本発明の実施の形態に係る発信元の通信装置及び中継通信装置による画像データの転送処理を示した図である。
【図２】発信元の通信装置の構成例を示したブロック図である。
【図３】通信装置において配信先に関する情報を予め登録しておくための配信先登録テーブルを示した図である。
【図４】中継通信装置の構成例を示したブロック図である。
【図５】発信元の通信装置において、中継指示送信機能によりファクシミリ送信が行われる際の処理動作を示したフローチャートである。
【図６】発信元の通信装置から中継指示送信機能によりファクシミリ送信された画像データを受信した際に、中継通信装置において行われる処理動作を示したフローチャートである。
【図７】中継通信装置が各配信先装置ごとに行う第１の配信処理を示したフローチャートである。
【図８】中継通信装置が各配信先装置ごとに行う第２の配信処理を示したフローチャートである。
【符号の説明】
１  発信元の通信装置
２、２２  制御部
３、２３  ＲＯＭ
４、２４  ＲＡＭ
４ａ  配信先登録テーブル
６  操作部
７  報知部
８  液晶表示装置
９  ＬＥＤランプ
１０  スピーカ
２１  中継通信装置
２４ａ  配信先管理テーブル
２５  画像変換部
【図１】
2004186928.tif 000003
【図２】
2004186928.tif 000004
【図３】
2004186928.tif 000005
【図４】
2004186928.tif 000006
【図５】
2004186928.tif 000007
【図６】
2004186928.tif 000008
【図７】
2004186928.tif 000009
【図８】
2004186928.tif 000010